(57)【要約】【課題】室内空間からの眺望景観を確保しつつ、窓を発光させることにより、ビルの外観に表示を行うことを可能にし得る発光装置を提供する。【解決手段】発光装置１０は、透光板１３と、発光部１４と、隠蔽層１６とを備える。透光板１３は、第１の主面１３ａと、光出射面を構成している第２の主面１３ｂとを有する。発光部１４は、第１の主面１３ａの一部分の上に設けられている。隠蔽層１６は、発光部１４を覆っている。【選択図】図１
2015200833.tif 000002
【特許請求の範囲】
【請求項１】
第１の主面と、光出射面を構成している第２の主面とを有する透光板と、
前記第１の主面の一部分の上に設けられた発光部と、
前記発光部を覆う隠蔽層と、
を備える、発光装置。
【請求項２】
前記隠蔽層は、前記透光板と反対側の表面が黒色である、請求項１に記載の発光装置。
【請求項３】
前記隠蔽層は、前記透光板と反対側の表面の表面粗さがＪＩＳ  Ｂ０６０１−２００１で規定される算術平均粗さ（Ｒａ）で５０ｎｍ以上である、請求項２に記載の発光装置。
【請求項４】
前記透光板の側面に対して光を出射する光源をさらに備え、
前記発光部は、前記光源からの光を乱反射させる、請求項１〜３のいずれか一項に記載の発光装置。
【請求項５】
前記発光部は、
マトリクスと、
前記マトリクス中に分散し、前記マトリクスと異なる屈折率を有する粒子と、
を含む、請求項４に記載の発光装置。
【請求項６】
前記透光板の側面に対して光を出射する光源をさらに備え、
前記発光部は、前記光源からの光を波長変換する波長変換材を含む、請求項１〜５のいずれか一項に記載の発光装置。
【請求項７】
前記発光部は、自発光体により構成されている、請求項１〜３のいずれか一項に記載の発光装置。
【請求項８】
前記第２の主面の上に配された反射防止膜をさらに備える、請求項１〜７のいずれか一項に記載の発光装置。
【請求項９】
前記第１の主面の少なくとも前記発光部が配されていない部分を覆う反射防止膜をさらに備える、請求項１〜８のいずれか一項に記載の発光装置。
【請求項１０】
前記透光板は、導光体により構成されている、請求項１〜９のいずれか一項に記載の発光装置。
【請求項１１】
請求項１〜１０のいずれか一項に記載の発光装置を備える、窓板。
【発明の詳細な説明】
【技術分野】
【０００１】
本発明は、発光装置及びそれを備える窓板に関する。
【背景技術】
【０００２】
従来、室内空間からの眺望景観を確保しつつ、室外からののぞき見を防止する窓板として、ハーフミラー層が設けられた窓板が用いられている。例えば、特許文献１には、ガラス板と、ガラス板の側壁に向けて光を出射する光源と、ガラス板の内側の主面の上に配されたハーフミラーと、ガラス板の外側の主面の上に配された拡散層とを備える窓構造ユニットが記載さている。
【先行技術文献】
【特許文献】
【０００３】
【特許文献１】特開２０１４−４７５７２号公報
【発明の概要】
【発明が解決しようとする課題】
【０００４】
ところで、室内空間からの眺望景観を確保しつつ、窓を発光させることにより、ビルの外観に文字や図形等の表示を行いたいという要望がある。
【０００５】
本発明の主な目的は、室内空間からの眺望景観を確保しつつ、窓を発光させることにより、ビルの外観に表示を行うことを可能にする発光装置を提供することにある。
【課題を解決するための手段】
【０００６】
本発明に係る発光装置は、透光板と、発光部と、隠蔽層とを備える。透光板は、第１の主面と、光出射面を構成している第２の主面とを有する。発光部は、第１の主面の一部分の上に設けられている。隠蔽層は、発光部を覆っている。
【０００７】
本発明に係る発光装置では、隠蔽層は、透光板と反対側の表面が黒色であることが好ましい。
【０００８】
本発明に係る発光装置では、隠蔽層は、透光板と反対側の表面の表面粗さがＪＩＳ  Ｂ０６０１−２００１で規定される算術平均粗さ（Ｒａ）で５０ｎｍ以上であることが好ましい。
【０００９】
本発明に係る発光装置は、透光板の側面に対して光を出射する光源をさらに備えていてもよい。その場合、発光部は、光源からの光を乱反射させるものであってもよい。
【００１０】
本発明に係る発光装置は、発光部が、マトリクスと、マトリクス中に分散し、マトリクスと異なる屈折率を有する粒子とを含んでいてもよい。
【００１１】
本発明に係る発光装置は、発光部が、光源からの光を波長変換する波長変換材を含んでいてもよい。
【００１２】
本発明に係る発光装置は、発光部が自発光体により構成されていてもよい。
【００１３】
本発明に係る発光装置は、第２の主面の上に配された反射防止膜をさらに備えていてもよい。
【００１４】
本発明に係る発光装置は、第１の主面の少なくとも発光部が配されていない部分を覆う反射防止膜をさらに備えていてもよい。
【００１５】
本発明に係る発光装置は、透光板が、導光体により構成されていてもよい。
【００１６】
本発明に係る窓板は、上記発光装置を備える。
【発明の効果】
【００１７】
本発明によれば、室内空間からの眺望景観を確保しつつ、窓を発光させることにより、ビルの外観に文字や図形等の表示を行うことを可能にし得る発光装置を提供することができる。
【図面の簡単な説明】
【００１８】
【図１】第１の実施形態に係る窓板の模式的断面図である。
【図２】第２の実施形態に係る窓板の模式的断面図である。
【図３】第３の実施形態に係る窓板の模式的断面図である。
【発明を実施するための形態】
【００１９】
以下、本発明を実施した好ましい形態の一例について説明する。但し、下記の実施形態は、単なる例示である。本発明は、下記の実施形態に何ら限定されない。
【００２０】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００２１】
（第１の実施形態）
図１は、第１の実施形態に係る窓板の模式的断面図である。図１に示すように、窓板１は、板状の発光装置１０を備えている。本実施形態では、発光装置１０は、ガラス板により構成された窓板本体１１に対して接着層１２により接着されている。但し、本発明は、この構成に限定されない。例えば、発光装置１０のみにより窓板が構成されていてもよい。窓板本体１１は、通常の窓板ガラスが使用できるが、軽量化を図る場合は、厚みが０．７ｍｍ以下、０．５ｍｍ以下、０．３ｍｍ以下、０．２ｍｍ以下、さらには０．１ｍｍ以下の板ガラスにより窓板本体１１を構成することが好ましい。
【００２２】
発光装置１０は、透光板１３を有する。透光板１３は、第１の主面１３ａと、第２の主面１３ｂとを有する。本実施形態では、透光板１３は、導光板により構成されている。具体的には、透光板１３は、例えば、アクリル樹脂等からなる樹脂板により構成することができる。
【００２３】
透光板１３は、第１の主面１３ａが室内側に位置しており、第２の主面１３ｂが室外側を向いている。
【００２４】
透光板１３の第１の主面１３ａの一部分の上には、発光部１４が設けられている。第１の主面１３ａは、発光部１４により覆われていない部分を有する。本実施形態では、複数の発光部１４が、相互に間隔を置いて設けられている。例えば、発光部１４は、複数のドット状、複数の線状であってもよい。但し、本発明は、この構成に限定されない。例えば、発光部は、網状に連続した一つの発光部としてもよい。
【００２５】
透光板１３の側方には、光源１５が配されている。光源１５は、透光板１３の側面に対して光を出射する。光源１５は、例えば、ＬＥＤ（Ｌｉｇｈｔ  Ｅｍｉｔｔｉｎｇ  Ｄｉｏｄｅ）、レーザー光源等により構成することができる。光源１５から出射された光の一部は、透光板１３内を反射しながら通り、発光部１４に入射する。発光部１４は、その発光部１４からの光を乱反射させる。乱反射した光は、光出射面を構成している第２の主面１３ｂから出射する。このため、光源１５を駆動させることにより、窓板１を発光させることができ、窓板１が配されたビル等の外観に文字や図形等の表示を行うことができる。
【００２６】
本実施形態では、上述のように、発光部１４は、光を乱反射させる部材である。このように、本発明においては、発光部は、自発光する部材に限定されず、他の光源からの光を乱反射させるものであってもよい。
【００２７】
具体的には、本実施形態では、発光部１４は、マトリクスと、マトリクス中に分散し、マトリクスと異なる屈折率を有する粒子とを含む光散乱体により構成されていてもよい。マトリクスは、例えば、樹脂やガラス等により構成することができる。粒子は、例えば、酸化チタン等の無機酸化物粒子等により構成することができる。
【００２８】
本実施形態では、発光部１４は、光を乱反射する部材である。このため、例えば、発光部１４が室内側に露出していると、光源１５を駆動させていなくても、発光部１４が位置する部分の輝度が高く視認される。その結果、眺望景観が悪くなる場合がある。例えば、室内の観者の視点が発光部１４に焦点し、眺望景観が視認されにくくなる。また、眺望景観のコントラストが低くなる場合がある。
【００２９】
それに対して、本実施形態では、発光部１４が隠蔽層１６により覆われている。このため、窓板１では、光源１５を駆動させているいないにかかわらず、発光部１４が位置する部分の輝度が高く視認されにくい。また、室内の観者の視点が発光部１４に焦点しにくい。このため、眺望される景観のコントラストが低くなりにくい。従って、窓板１では、優れた眺望景観を得ることができる。
【００３０】
また、窓板１では、ハーフミラー層は必ずしも必要ではない。従って、眺望される景観のコントラストの低下をより効果的に抑制し得る。従って、窓板１では、より優れた眺望景観を得ることが可能となる。
【００３１】
より優れた眺望景観を得る観点からは、隠蔽層１６は、透光板１３と反対側の表面における可視波長域の光の光反射率が低いことが好ましい。具体的には、隠蔽層１６は、透光板１３と反対側の表面が黒色であることが好ましい。また、隠蔽層１６は、透光板１３と反対側の表面の表面粗さがＪＩＳ  Ｂ０６０１−２００１で規定される算術平均粗さ（Ｒａ）で５０ｎｍ以上であることが好ましく、８０ｎｍ以上であることがより好ましい。ここで、「黒色」とは、波長３８０ｎｍ〜８００ｎｍにおける光反射率が５％以下であることをいう。
【００３２】
隠蔽層１６は、例えば、炭素、酸化鉄及び酸化銅の群から選択される少なくとも一種を含有することが好ましい。
【００３３】
隠蔽層１６は、発光部１４の少なくとも一部を覆っていればよいが、発光部１４の実質的に全体を覆っていることが好ましい。そうすることにより、発光部１４が室内の観者に視認されることをより効果的に抑制することができる。従って、さらに優れた眺望景観を実現することができる。
【００３４】
発光装置１０では、透光板１３の第２の主面１３ｂの上に、反射防止膜１７が設けられている。このため、発光部１４からの光が第２の主面１３ｂにおいて室内側に反射することが抑制されている。従って、さらに優れた眺望景観を実現することができる。
【００３５】
なお、本発明において、「反射防止膜」とは、反射防止膜が存在しない場合よりも反射率を低減できる膜をいう。
【００３６】
なお、本実施形態では、発光部１４が、マトリクス中に屈折率の異なる粒子が分散した部材により構成されている例について説明したが、本発明は、この構成に限定されない。発光部１４は、例えば、光源１５からの光を波長変換する波長変換材を含んでいてもよい。波長変換材は、例えば、光源１５からの光が入射したときに、蛍光を出射する蛍光材により構成されていてもよい。発光部１４は、マトリクス中に波長変換材のみが分散した部材により構成されていてもよいし、マトリクス中に波長変換材と、マトリクスとは異なる屈折率を有する、蛍光を発しない粒子とを含む部材により構成されていてもよい。
【００３７】
本実施形態の窓板１は、窓板本体１１が発光装置１０の透光板１３の第一の主面１３ａ側（室内側）に接着層１２により接着されている。また、透光板１３の第２の主面１３ｂ側（室外側）に図示しないガラス板からなる透光保護板が形成されていてもよい。
【００３８】
以下、本発明の好ましい実施形態の他の例について説明する。以下の説明において、上記第１の実施形態と実質的に共通の機能を有する部材を共通の符号で参照し、説明を省略する。
【００３９】
（第２の実施形態）
図２は、第２の実施形態に係る窓板の模式的断面図である。図２に示されるように、第２の実施形態の窓板では、第２の主面１３ｂ上の反射防止膜１７に加え、第１の主面１３ａの少なくとも発光部１４が配されていない部分を覆う反射防止膜１８がさらに設けられている。このため、室外から入射した光が第１及び第２の主面１３ａ、１３ｂにおいて反射することが抑制されている。従って、眺望される景観のコントラストの低下がより効果的に抑制される。
【００４０】
（第３の実施形態）
図３は、第３の実施形態に係る窓板の模式的断面図である。図３に示される窓板では、発光部１４が、ＬＥＤ（Ｌｉｇｈｔ  Ｅｍｉｔｔｉｎｇ  Ｄｉｏｄｅ）、エレクトロルミネッセンス素子等の自発光体により構成されている。本実施形態においても、発光部１４が隠蔽層１６により覆われているため、発光部１４が室内から視認されにくい。従って、優れた眺望景観を実現することができる。
【００４１】
本実施形態の窓板では、発光部１４の数量、配置密度を増やすことにより、窓板１から室外に向けて発せられる光の強度を向上することが可能である。
【符号の説明】
【００４２】
１  窓板
１０  発光装置
１１  窓板本体
１２  接着層
１３  透光板
１３ａ  第１の主面
１３ｂ  第２の主面
１４  発光部
１５  光源
１６  隠蔽層
１７，１８  反射防止膜
【図１】
2015200833.tif 000003
【図２】
2015200833.tif 000004
【図３】
2015200833.tif 000005